【事件の表示】
　特許第３４１７３８０号「非可逆回路素子および通信装置」の請求項１ないし４に係る特許に対する特許異議の申立てについて、次のとおり決定する。
【結　論】
　訂正を認める。
　特許第３４１７３８０号の請求項１ないし６に係る特許を維持する。
【理　由】
第１．手続の経緯
　特許第３４１７３８０号の請求項１ないし４に係る発明についての出願は、平成１２年４月５日に出願されたものであって、平成１５年４月１１日にその発明について特許権の設定登録がなされ、その後、その特許につい特許異議申立人　齋藤雄一、及びアルプス電気株式会社より特許異議の申立てがなされ、取消しの理由が通知され、その指定期間内である平成１６年８月１２日に訂正請求がなされたものである。
　
第２．訂正の適否の検討
１．訂正内容
（１）訂正事項ａ
　特許請求の範囲の請求項１を削除する。
（２）訂正事項ｂ
　特許請求の範囲の請求項２を次のとおり訂正する。
　「【請求項１】直流磁界が印加される磁性体と、該磁性体に近接配置した互いに交差する複数の中心導体とを備えて成る非可逆回路素子において、
　前記中心導体につながる入出力端子を２つ設け、該入出力端子を、底面の中央を中心点とする略点対称の位置に配置し、かつ前記中心導体につながるアース端子を、底面のそれぞれの入出力端子の両脇に配置した非可逆回路素子。
　　【請求項３】直流磁界が印加される磁性体と、該磁性体に近接配置した互いに交差する複数の中心導体とを備えて成る非可逆回路素子において、
　前記中心導体につながる入出力端子を２つ設け、該入出力端子は樹脂ケースにインサートモールド成形されており、前記入出力端子を、前記樹脂ケースの底面の中央を中心点とする略点対称の位置に配置したことを特徴とする非可逆回路素子。」
（３）訂正事項ｃ
　特許請求の範囲の請求項３を次のとおり訂正する。
　「【請求項２】前記底面は四角形状であり、前記入出力端子を、前記底面の対向する一対の辺の中央部にそれぞれ１つ配置し、かつ前記アース端子を、前記底面の中央を中心点とする略点対称の位置に配置した請求項１に記載の非可逆回路素子。」
（４）訂正事項ｄ
　特許請求の範囲の請求項４を次のとおり訂正する。
　「【請求項４】請求項１に記載の非可逆回路素子を用いた通信装置。
　　【請求項５】請求項２に記載の非可逆回路素子を用いた通信装置。
　　【請求項６】請求項３に記載の非可逆回路素子を用いた通信装置。」
（５）訂正事項ｅ
　特許明細書の段落番号【０００７】を次のとおり訂正する。
　「【課題を解決するための手段】
　この発明は、直流磁界が印加される磁性体と、該磁性体に近接配置した互いに交差する複数の中心導体とを備えて成る非可逆回路素子において、前記中心導体につながる入出力端子を２つ設け、該入出力端子を、底面の中央を中心点とする略点対称の位置に配置し、かつ前記中心導体につながるアース端子を、底面のそれぞれの入出力端子の両脇に配置する。
　また、この発明は、直流磁界が印加される磁性体と、該磁性体に近接配置した互いに交差する複数の中心導体とを備えて成る非可逆回路素子において、前記中心導体につながる入出力端子を２つ設け、該入出力端子は樹脂ケースにインサートモールド成形されており、前記入出力端子を、前記樹脂ケースの底面の中央を中心点とする略点対称の位置に配置する。」
（６）訂正事項ｆ
特許明細書の段落番号【００２５】を次のとおり訂正する。
「【発明の効果】
　この発明によれば、非可逆回路素子を、その底面の面に沿って略１８０°回転させるだけで入出力の非可逆特性の方向を反転することができる。すなわち、１種類の非可逆回路素子を用意しておけば、これを通信装置などの電子機器の回路基板上に実装する際に、非可逆回路素子の実装方向を定めるだけで入出力の方向性を決定することができる。そのため、全体に低コスト化を図ることができる。」
（７）訂正事項ｇ
特許明細書の段落番号【００２６】を次のとおり訂正する。
　「また、この発明によれば、非可逆回路素子の実装基板への実装状態にかかわらず非可逆回路素子のアース端子と実装基板上のアース電極とのアース接続を確実に行なえるようになる。」
（８）訂正事項ｈ
　特許明細書の段落番号【００２７】を次のとおり訂正する。
　「また、この発明によれば、低コストな非可逆回路素子を用いて全体に低コスト化を図ることができ、また、１種類の非可逆回路素子を所定箇所に用いて回路を構成するため、設計が容易となる。」
　
２．訂正の適否について
（１）訂正事項ａ、ｂについて
　訂正事項ｂは、特許請求の範囲の請求項の数を２に増加する訂正を求めるものであり、このような訂正請求は形式上特許請求の範囲の減縮にあたらないといえるが、訂正事項ａが特許請求の範囲の請求項１の削除を求め、特許請求の範囲の請求項の数を減少する訂正を求めるものであるから、訂正事項ａ，ｂについては併せて訂正の適否を行う。
　ア.　訂正事項ｂの請求項２を訂正後の請求項１とする訂正請求について
　訂正後の請求項１は、本件特許明細書又は図面に記載した事項の範囲内において、特許請求の範囲の請求項２に記載された入出力端子について、「入出力端子を２つ設け、該入出力端子を、底面の中央を中心点とする略点対称の位置に配置し」と限定すると共に、非可逆素子として不可欠な要素であるアース端子について、「前記中心導体につながるアース端子を、底面のそれぞれの入出力端子の両脇に配置した」と限定する訂正を求めるものといえるから、特許請求の範囲の減縮を目的とするものであって、新規事項の追加に該当せず、実質上特許請求の範囲を拡張し、変更するものではない。
　イ.　訂正事項ｂの請求項２を訂正後の請求項３とする訂正請求、及び訂正事項ａについて
　請求項２を訂正後の請求項３とする訂正請求は、前示したように、特許請求の範囲の請求項の数を２に増加する訂正であって特許請求の範囲の減縮にあたらないといえ、一方、訂正事項ａは請求項１の削除を求め、特許請求の範囲の請求項の数を減少する訂正を求めるものである。
　そこで、訂正事項ｂの「請求項２を訂正後の請求項３とする」訂正請求、及び訂正事項ａの「特許請求の範囲の請求項１を削除する。」は、補正事項ａにおいて「請求項１を補正後の請求項３とする」訂正請求の誤りであると解して訂正の適否を検討する。
　訂正後の請求項３は、本件特許明細書又は図面に記載した事項の範囲内において、特許請求の範囲の請求項１に記載された中心導体について「互いに交差する複数の中心導体」と限定し、入出力端子について「前記中心導体につながる入出力端子を２つ設け、該入出力端子は樹脂ケースにインサートモールド成形されており、前記入出力端子を、前記樹脂ケースの底面の中央を中心点とする略点対称の位置に配置した」と限定する訂正を求めるものと認められるから、特許請求の範囲の減縮を目的とするものであって、新規事項の追加に該当せず、実質上特許請求の範囲を拡張し、変更するものではない。
　ウ．まとめ
　以上のように、訂正事項ａ、ｂを上述のように解すれば実質上特許請求の範囲を減縮を目的とするものといえ、また他の訂正の要件についても満たしているから、訂正事項ａ、ｂは訂正の要件を満たしているといえる。
（３）訂正事項ｃについて
　訂正後の請求項２は、本件特許明細書又は図面に記載した事項の範囲内において、特許請求の範囲の請求項３に記載された底面について、「前記底面は四角形状であり」と限定すると共に、入出力端子及びアース端子について、「前記入出力端子を、前記底面の対向する一対の辺の中央部にそれぞれ１つ配置し、かつ前記アース端子を、前記底面の中央を中心点とする略点対称の位置に配置した」と限定する訂正を求めるものであるから、特許請求の範囲の減縮を目的とするものであって、新規事項の追加に該当せず、実質上特許請求の範囲を拡張し、変更するものではない。
（４）訂正事項ｄについて
　訂正事項ｄは、請求項１ないし３を引用している１の従属請求項（請求項４）を、訂正請求により、請求項４ないし６からなる３の独立請求項とする訂正を求めるものであるから、特許請求の範囲の減縮を目的とするものに該当し、新規事項の追加に該当せず、実質上特許請求の範囲を拡張し、変更するものではない。
（５）訂正事項ｅないしｈについて
　訂正事項ｅないしｈは、本件特許明細書又は図面に記載した事項の範囲内において、特許請求の範囲の訂正に整合させて発明の詳細な説明の記載の訂正を求めるものであるから、明りょうでない記載の釈明を目的とするものであって、新規事項の追加に該当せず、実質上特許請求の範囲を拡張し、変更するものではない。
　
３．まとめ
　したがって、上記訂正請求は、特許法第１２０条の４第２項、及び同条第３項において準用する同法１２６条２項から第３項の規定に適合するので、当該訂正を認める。
　
第３．特許異議申立について
１．本件発明
　上記第２．３．で示したように上記訂正は認められるから、本件特許の請求項１ないし６に係る発明（以下、それぞれ「本件特許発明１」ないし「本件特許発明６」という。）は、平成１６年８月１２日付けの訂正請求により訂正された訂正明細書の特許請求の範囲に記載された次の事項により特定されるものである。
「【請求項１】直流磁界が印加される磁性体と、該磁性体に近接配置した互いに交差する複数の中心導体とを備えて成る非可逆回路素子において、
　前記中心導体につながる入出力端子を２つ設け、該入出力端子を、底面の中央を中心点とする略点対称の位置に配置し、かつ前記中心導体につながるアース端子を、底面のそれぞれの入出力端子の両脇に配置した非可逆回路素子。
【請求項２】前記底面は四角形状であり、前記入出力端子を、前記底面の対向する一対の辺の中央部にそれぞれ１つ配置し、かつ前記アース端子を、前記底面の中央を中心点とする略点対称の位置に配置した請求項１に記載の非可逆回路素子。
【請求項３】直流磁界が印加される磁性体と、該磁性体に近接配置した互いに交差する複数の中心導体とを備えて成る非可逆回路素子において、
　前記中心導体につながる入出力端子を２つ設け、該入出力端子は樹脂ケースにインサートモールド成形されており、前記入出力端子を、前記樹脂ケースの底面の中央を中心点とする略点対称の位置に配置したことを特徴とする非可逆回路素子。
【請求項４】請求項１に記載の非可逆回路素子を用いた通信装置。
【請求項５】請求項２に記載の非可逆回路素子を用いた通信装置。
【請求項６】請求項３に記載の非可逆回路素子を用いた通信装置。」
　
２．引用刊行物
（１）刊行物１について
　当審で通知した取消理由に引用した刊行物１（特開２０００−９１８１５号公報（特許異議申立人　アルプス電気株式会社が提出した甲第１号証））には、四角形状の同寸法のフェライト板（磁性体）２０、２０で挟み込まれたパターン金属板（中心導体）を備えてなるアイソレータにおいて、前記パターン金属板から引き出された入力端子１１、及び出力端子１２を、底面の対向する一対の辺の中央部にそれぞれ配置し、終端端子（アース端子）１３を前記入出力端子１１、１２を配置した底面と反対側の上面側に突出して配置したアイソレータの発明が記載されていると認められる。
（２）刊行物２について
　同じく、当審で通知した取消理由に引用した刊行物２（特開昭５６−２０３０２号公報（特許異議申立て人　アルプス電気株式会社が提出した甲第２号証））には、四角形状の対向する一方の辺にストリップライン端子（入出力端子）１６ａ、及び２つのアース端子１５ｂを突出して配置し、他方の辺にストリップライン端子１６ｂ、１６ｃ及び２つのアース端子１５ａを突出して配置したアイソレータの発明が記載されていると認められる。
（３）刊行物３ないし７について　
　同じく、当審で通知した取消理由に引用した刊行物３（特開平６−１９６９０７号公報（特許異議申立人　アルプス電気株式会社が提出した参考資料１））、刊行物４（特開平７−１０６８０９号公報（特許異議申立人　アルプス電気株式会社が提出した参考資料２））、刊行物５（特開平１１−９７９０８号公報（特許異議申立人　アルプス電気株式会社が提出した参考資料３））、刊行物６（特開平１１−１６８３０４号公報（特許異議申立人　齋藤雄一が提出した甲第１号証））、及び刊行物７（特開平１１−２０５０１１号公報（特許異議申立人　齋藤雄一が提出した甲第２号証））には、直流磁界が印加される磁性体と、該磁性体に近接配置した互いに交差する複数の中心導体とを備えてなるアイソレータ、及び前記アイソレータを用いた通信装置の発明が記載されているものと認められる。
（４）刊行物８ないし１０について
　同じく、当審で通知した取消理由に引用した刊行物８（ＴＤＫ　ＭＩＣＲＯＷＡＶＥ　ＤＥＶＩＣＥＳ、１９８９年９月発行（特許異議申立人　齋藤雄一が提出した甲第３号証））、刊行物９（ＴＤＫ　ＭＩＣＲＯＷＡＶＥ　ＤＥＶＩＣＥＳ、１９９１年７月発行（特許異議申立人　齋藤雄一が提出した甲第４号証））、及び刊行物１０（ＴＤＫ　ＭＩＣＲＯＷＡＶＥ　ＤＥＶＩＣＥＳ、１９９２年６月発行（特許異議申立人　齋藤雄一が提出した甲第５号証））には、ストリップライン型サーキュレータ及びアイソレータ（ＳＴＲＩＰＬＩＮＥ　ＴＹＰＥ　ＣＩＲＣＵＬＡＴＯＲＳ　ＡＮＤ　ＩＳＯＬＡＴＯＲＳ）について、その５５頁左下図には、ＣＵ４９７、ＣＵ４９８、ＣＵ４９９とラベリングされた３つのアイソレータ（５５頁左下図）が記載され、その若干拡大して表示された左上の図には、黒塗りされた３つの入出力端子（ＳＴＲＩＰＬＩＮＥ）と、斜線表示された左右２つづつ、上下１つづつの合計６つのアース端子（ＧＲＯＵＮＤ）が、また、ＣＵ４９９とラベリングされた図には、黒塗りされた左右１つづつの入出力端子と、斜線表示された左右に２つづつ、上下１つづつのアース端子が、それぞれ記載されている。なお、同図において黒塗りされた右側の入出力端子は、底面の右上角に近接して配置され、左側の入出力端子は、底面の左下角から入出力端子１個分の幅だけ離れた上方位置に設けられているので、これらの入出力端子は、底面の中央を中心点とする略点対称の位置に配置されているものとすることはできない。
　更に、７９頁のＦｉｇ１、Ｆｉｇ２には、３つの入出力端子と、３つのアース端子を底面の略中央を中心点とする１２０度の回転対称の位置に配置したヘキサレータの発明が記載されているものと認められる。
（５）刊行物１１について
　同じく、当審で通知した取消理由に引用した刊行物１１（特開平１１−２２５０８８号公報（特許異議申立人　齋藤雄一が提出した甲第６号証））には、高周波スイッチモジュールにおいて、側面に形成されたアンテナＡＮＴ端子、ＧＳＭ系の送信ＴＸ端子、受信ＲＸ端子、ＤＣＳ系の送信ＴＸ端子、受信ＲＸ端子の高周波端子を、グランド端子で挟むように配置した構成の発明が記載されているものと認められる。
　
３.対比・判断
（１）本件特許発明１について
　本件特許発明１と刊行物１ないし１１に記載された発明とを対比すると、本件特許発明１は、「前記中心導体につながる入出力端子を２つ設け、該入出力端子を、底面の中央を中心点とする略点対称の位置に配置し、かつ前記中心導体につながるアース端子を、底面のそれぞれの入出力端子の両脇に配置し」た点を発明特定事項としているのに対して、刊行物１ないし１１は、前記２．に記載した構成の発明を開示するにすぎず、前記発明特定事項を開示しない。また、この発明特定事項が周知・慣用であるともいえないので、本件特許発明１は、刊行物１ないし１１に記載された発明ではなく、また、同各発明に基づいて、当業者が容易に発明をすることができたものとすることもできない。
　なお、刊行物１は、入出力端子を底面の中央を中心とする略点対称の位置に配置したアイソレータを開示し、刊行物８ないし１０（ＣＵ４９９とラベリングされた図）は、入出力端子を２つ備えたアイソレータを開示し、刊行物１１は、アース端子を底面のそれぞれの送受信端子の両脇に配置した高周波スイッチモジュールを開示し、これらはそれぞれ前記発明特定事項の一部をなしているので、これらを組み合わせることにより、前記発明特定事項を構成できるか否かについて、以下検討する。
　刊行物１に記載されたアイソレータは、中心導体がパターン金属板からなり、また、中心導体につながるアース端子を備えてないことから明らかなように、交差する複数の中心導体と、中心導体につながるアース端子を備えた本件特許発明１のアイソレータとは基本的構造が全く異なっている。また、刊行物１１に記載された発明は、高周波スイッチモジュールに関するものであり、本件特許発明１のアイソレータとは技術分野において全く異なっている。このように、刊行物１に記載された発明と刊行物１１に記載された発明は、アイソレータの基本的構成、あるいは技術的分野において本件特許発明１と全く異なるものであり、刊行物１、刊行物８ないし１０（ＣＵ４９９とラベリングされた図）、及び刊行物１１に本件特許発明１における前記発明特定事項の一部が開示されているとしても、これらを組み合わせる動機付けが存在しないから、上記各発明を組み合わせて前記発明特定事項を構成することはできない。
　したがって、本件特許発明１は、刊行物１ないし１１に記載された発明ではなく、また、同各発明に基づいて、当業者が容易に発明をすることができたものとすることもできない。
　
（２）本件特許発明２について
　本件特許発明２は請求項１を引用する形式で記載し、本件特許発明１をさらに限定したものであり、本件特許発明１と同様、前記発明特定事項を備えていないから、本件特許発明１で示した判断と同様の理由により、本件特許発明２は、刊行物１ないし１１に記載された発明ではなく、また、同各発明に基づいて、当業者が容易に発明をすることができたものとすることもできない。
　
（３）本件特許発明３について
  本件特許発明３と刊行物１ないし１１に記載された発明とを対比すると、本件特許発明３は、「前記中心導体につながる入出力端子を２つ設け、該入出力端子は樹脂ケースにインサートモールド成形されており、前記入出力端子を、前記樹脂ケースの底面の中央を中心点とする略点対称の位置に配置し」た点を発明特定事項としているのに対して、刊行物１ないし１１には、前記２．に記載した構成の発明が記載されているにすぎず、前記発明特定事項の開示はなく、また、前記発明特定事項が周知・慣用であるともいえない。
　なお、刊行物１は、入出力端子を底面の中央を中心とする略点対称の位置に配置したアイソレータを開示し、刊行物８ないし１０（ＣＵ４９９とラベリングされた図）は、入出力端子を２つ備えたアイソレータを開示している。しかしながら、本件特許発明のアイソレータは、「交差する複数の中心導体」と、「中心導体につながるアース端子」を備えた構成であるのに対して、刊行物１に記載されたアイソレータは、中心導体がパターン金属板からなり、また、中心導体につながるアース端子を備えてないことから明らかなように、アイソレータの基本的構造が全く異なっている。このように、本件特許発明１と刊行物１に記載された発明は、アイソレータ（非可逆素子）の基本的構造が全く異なるものであるから、刊行物８ないし１０に記載された入出力端子を２つ備えた構成からなるアイソレータ（非可逆素子）が、仮に、本件特許発明１のアイソレータと基本的構造が同じであり、また、入出力端子を樹脂ケースにインサートモールド成形することが仮に周知であったとしても、これらの発明を組み合わせる動機付けが存在しないから、上記各発明を組み合わせて前記発明特定事項を構成することはできない。
　したがって、本件特許発明３は、刊行物１ないし１１に記載された発明ではなく、また、同各発明に基づいて、当業者が容易に発明をすることができたものとすることもできない。
　
（４）本件特許発明４ないし６について
　本件特許発明４ないし６は、請求項１ないし３を引用する形式で記載し、本件特許発明１ないし３をさらに限定したものであり、本件特許発明１ないし３と同様、前記発明特定事項を備えていないから、本件特許発明１ないし３で示した判断と同様の理由により、本件特許発明４ないし６は、刊行物１ないし１１に記載された発明ではなく、また、同各発明に基づいて、当業者が容易に発明をすることができたものとすることもできない。
　
４．まとめ
　したがって、本件特許発明１ないし６は、上記刊行物１ないし１１に記載された発明ではなく、また、これらの発明から当業者が容易に発明をすることができたものとすることもできない。
　また、その他の異議申立ての理由によっては取り消すことができない。
　
第４．むすび
　以上のとおりであるから、特許異議申立ての理由及び証拠によっては、特許第３４１７３８０号の請求項１ないし６に係る発明についての特許を取り消すことはできない。
　また、他に本件発明についての特許を取り消すべき理由も発見しない。
　よって、結論のとおり決定する。
【異議決定日】
平成１６年１２月１７日（２００４．１２．１７）
【訂正の要旨】
審決（決定）の【理由】欄参照。
（５４）【発明の名称】
非可逆回路素子及び通信機装置
（５７）【特許請求の範囲】
　【請求項１】　直流磁界が印加される磁性体と、該磁性体に近接配置した互いに交差する複数の中心導体とを備えて成る非可逆回路素子において、
　前記中心導体につながる入出力端子
を２つ設け、該入出力端子を、
の中
、かつ前記中心導体につながるアース端子を、底面のそれぞれの入出力端子の両脇に配置した
　【請求項２】　
前記底面は四角形状であり、前記入出力端子を、前記底面の対向する一対の辺の中央部にそれぞれ１つ配置し、かつ前記アース端子を、前記
の中
請求項１に記載の
　【請求項３】　
直流磁界が印加される磁性体と、該磁性体に近接配置した互いに交差する複数の中心導体とを備えて成る非可逆回路素子において、
　前記中心導体につながる
入出力端子を２つ設け、該入出力端子は樹脂ケースにインサートモールド成形されており、前記入出力端子を前記樹脂ケースの
の中
　【請求項４】　請求項
１
　【請求項５】　請求項
２
　【請求項６】　請求項
３
【発明の詳細な説明】
　【０００１】
　【発明の属する技術分野】　この発明は、マイクロ波帯などの高周波帯域で使用される、例えばアイソレータなどの非可逆回路素子、およびそれを用いた通信装置に関するものである。
　【０００２】
　【従来の技術】　従来、集中定数形サーキュレータは、フェライト板に近接配置される互いに交差した複数の中心導体と、フェライト板に直流磁界を印加する磁石とをケース内に収納して構成されている。また、サーキュレータの３つのポートのうち所定のポートを抵抗終端させることによってアイソレータが構成されている。
　【０００３】
　図１０の（Ａ），（Ｂ）は従来の２つのタイプのアイソレータの底面図である。ここで８は下部ケースを兼ねる下ヨーク、７は樹脂ケースである。またＩｎは入力端子、Ｏｕｔは出力端子、Ｇｎｄはアース端子である。
　【０００４】
　【発明が解決しようとする課題】
　図１０に示したように、従来のアイソレータは、入力端子と出力端子を、樹脂ケース７の縦方向または横方向の１つの辺に沿って配置していた。そのため、各アイソレータの入出力の方向性は予め定まっていて、アイソレータを通信装置等の電子機器の回路基板上に実装する際、信号の入出力の位置関係を逆にする場合には、入出力の非可逆特性が逆の関係にあるアイソレータに交換する必要があった。勿論、フェライト板に印加する直流磁界の極性を反転させれば入出力の非可逆特性が反転するが、ユーザサイドで磁石の極性を逆に取り付け、特性調整を行なうのは非常に困難な作業であり、全く現実的ではない。
　【０００５】
　また、アイソレータのメーカサイドでは、ユーザの要求を満足させるために、入出力方向の異なる２種類のアイソレータを予め用意しておく必要があり、そのために製造上や管理上の面でコストアップの要因となる。
　【０００６】
　この発明の目的は、１種類の非可逆回路素子を用いて、実装基板上の同じ端子レイアウトで、入力と出力の関係を反転できるようにした非可逆回路素子およびそれを用いた通信装置を提供することにある。
　【０００７】
　【課題を解決するための手段】
この発明は、直流磁界が印加される磁性体と、該磁性体に近接配置した
互いに交差する
を２つ設け、該入出力端子を、
の中
、かつ前記中心導体につながるアース端子を、底面のそれぞれの入出力端子の両脇に配置する。
　
また、この発明は、直流磁界が印加される磁性体と、該磁性体に近接配置した互いに交差する複数の中心導体とを備えて成る非可逆回路素子において、前記中心導体につながる入出力端子を２つ設け、該入出力端子は樹脂ケースにインサートモールド成形されており、前記入出力端子を、前記樹脂ケースの底面の中央を中心点とする略点対称の位置に配置する。
　【０００８】
　この構造により、非可逆回路素子を、その底面の面に沿って略１８０°回転させるだけで入出力の非可逆特性の方向を反転することができる。したがって、１種類の非可逆回路素子を用意しておけば、これを通信装置などの電子機器の回路基板上に実装する際に、入出力の方向性を決定することができる。
　【０００９】
　また、この発明は、前記中心導体につながるアース端子を複数個設けるとともに、そのアース端子を、底面の略中央を中心点とする略点対称の位置に配置する。この構造により、非可逆回路素子の実装基板への実装状態にかかわらず非可逆回路素子のアース端子と実装基板上のアース電極とのアース接続を確実に行なえるようになる。
　【００１０】
　また、この発明は前記非可逆回路素子を用いて通信装置を構成する。
　【００１１】
　【発明の実施の形態】
　第１の実施形態に係るアイソレータの構成を図１〜図３を参照して説明する。図１はアイソレータの分解斜視図、図２は上ヨーク２および下ヨーク８を取り除いた状態での上面図である。ここで２は磁性体金属からなる箱状の上ヨーク、３は上ヨーク２の内面に配置する矩形板形状の永久磁石である。また５は磁性組立体であり、このフェライト５４の底面と同形状である中心導体の連結部にフェライト５４を置き、上記連結部から延び出た３本の中心導体５１，５２，５３を、絶縁シート（不図示）を介在させて互いにほぼ１２０°の角度をなしてフェライト５４を包むように折り曲げて配置し、中心導体５１，５２，５３の先端側のポート部Ｐ１，Ｐ２，Ｐ３を外方へ突出させた構造としている。４はこの磁性組立体５と永久磁石３との間を所定間隔に保つためのスペーサである。７は樹脂ケースであり、この樹脂ケース７には、ケース内の上面に一部が露出するアース電極、底面から側面にかけて露出する入出力端子７２およびアース端子７３などをインサートモールド成形している。整合用コンデンサＣ１はポート部Ｐ１と、樹脂ケース７内のアース電極との間に接続され、同様にＣ２，Ｃ３はポート部Ｐ２，Ｐ３と樹脂ケース内のアース電極との間に接続される。また終端抵抗Ｒはポート部Ｐ３に導通する電極とアース電極との間に接続される。８は磁性体金属からなる下ヨークであり、上ヨーク２に組み合わせることによって、閉磁路を構成する。これにより、永久磁石３による磁界がフェライト５４に対してその厚み方向に印加される。
　【００１２】
　図３は上記アイソレータの等価回路図である。図３において、Ｌは中心導体５１，５２，５３とフェライト５４とにより形成される等価的なインダクタである。コンデンサＣ１，Ｃ２，Ｃ３のキャパシタンスは上記インダクタＬのインダクタンスと整合して、所定の周波数を中心として所定帯域幅にわたって低挿入損失特性を得るようにしている。７１は入力端子、７２は出力端子であり、入力端子７１から入力された信号は出力端子７２から出力される。出力端子７２に入力された信号は入力端子７１側へは殆ど出力されず、抵抗Ｒで終端される。
　【００１３】
　図２に示したように、入出力端子７１，７２を樹脂ケース７の底面の中央を中心点として点対称の関係となるように配置したことにより、このアイソレータを図２に示した状態から樹脂ケースの底面に沿って１８０°回転させることにより、入出力端子７１，７２の位置関係が逆転する。これより、アイソレータの方向性を反転させることができる。また、この例では４つのアース端子７３を、樹脂ケースの底面の中央を中心点として点対称の位置に配置したことにより、アイソレータを図２に示した状態から１８０°回転させた状態で、アース端子の位置を同一とすることができ、このアイソレータを実装基板に実装する際に、実装基板上のアース電極にいずれの方向でも確実に接続できるようになる。
　【００１４】
　次に、第２〜第６の実施形態であるアイソレータの構成をそれぞれ底面図として図４〜図８を参照して説明する。これらの図において、Ｉｎは順方向で信号入力用の端子として用いる入出力端子、Ｏｕｔは順方向で信号出力端子として用いる入出力端子、Ｇｎｄはアース端子である。また、７は樹脂ケース、８は下ヨークである。
　【００１５】
　図４に示す例では、入出力端子とアース端子を樹脂ケース７の対向する２つの辺に配列させるとともに、端子ピッチをほぼ等しくしている。また、入出力端子の幅をアース端子より細くして、入出力端子の位置を目視によりまたは自動機により容易に読み取れるようにしている。
　【００１６】
　図５に示す例では、入出力端子を樹脂ケース７の一方の対角位置に配置するとともに、他方の対角位置にアース端子を配置して４端子構造としている。
　【００１７】
　図６に示す例では、入出力端子のそれぞれの両脇にアース端子を配置している。これにより、実装基板上で中心導体の両脇にアース電極を設けてなるコプレーナ線路との接続が容易となる。
　【００１８】
　図７の（Ａ）に示す例では、樹脂ケース７の底面の４つの辺に入出力端子とアース端子を配置している。この例では、これまでに示した実施形態に係るアイソレータの場合より、樹脂ケースの底面の正確な中央より多少ずれた位置を中心点として、入出力端子およびアース端子が点対称の関係となるように配置している。
　【００１９】
　図７の（Ｂ）に示す例では、アイソレータを１８０°回転させた時の入出力端子およびアース端子の外方への突出方向が異なるが、樹脂ケースの底面の中央を中心点として入出力端子およびアース端子が略点対称の位置関係となるように配置している。
　【００２０】
　図８の（Ａ）に示す例では、点対称の位置に入出力端子を設けるとともに単一のアース端子を設けている。このような構造であっても、実装基板上にアース端子が導通する２通りの位置にそれぞれグランドパターン（アース電極）を設けておくことによって、このアイソレータが図８の（Ａ）に示した状態と、それを１８０°回転させた状態のいずれの場合でもアース接続を行なうことができる。
　【００２１】
　図８の（Ｂ）に示す例では、点対称の位置にアース端子Ｇｎｄ１とＧｎｄ２を設け、これとは別に単一のアース端子Ｇｎｄ３を設けている。
この場合にも、アイソレータを１８０°回転させた時にアース端子Ｇｎｄ３に導通するグランドパターンを実装基板上に設けておくことによって、いずれの状態でも３つの点でアース接続を行なうことができる。
　【００２２】
　以上に示した例では、入出力端子およびアース端子を、樹脂ケースに設けたが、これらの端子をケースに設けずに、例えば基板に形成した電極を入出力端子およびアース端子とした非可逆回路素子にも、本発明は同様に適用できる。
　【００２３】
　また、以上に示した例では、複数の中心導体を磁性体に互いに絶縁状態で交差するように配置した集中定数型の非可逆回路素子を例にとって説明したが、Ｙ型の中心導体を２枚の磁性体の間に配置したストリップ線路型や、同様にＹ型の中心導体を１枚の磁性体上に配置したマイクロストリップ線路型などに代表される分布定数型の非可逆回路素子にも、本発明は同様に適用できる。
　【００２４】
　次に、上記アイソレータを用いた通信装置の例を図９を参照して説明する。同図においてＡＮＴは送受信アンテナ、ＤＰＸはデュプレクサ、ＢＰＦａ，ＢＰＦｂはそれぞれ帯域通過フィルタ、ＡＭＰａ，ＡＭＰｂはそれぞれ増幅回路、ＭＩＸａ，ＭＩＸｂはそれぞれミキサ、ＯＳＣはオシレータ、ＳＹＮは周波数シンセサイザである。ＭＩＸａはＳＹＮから出力される周波数信号を変調信号で変調し、ＢＰＦａは送信周波数の帯域のみを通過させ、ＡＭＰａはこれを電力増幅して、アイソレータＩＳＯおよびＤＰＸを介しＡＮＴより送信する。ＢＰＦｂはＤＰＸから出力される信号のうち受信周波数帯域のみを通過させ、ＡＭＰｂはそれを増幅する。ＭＩＸｂはＳＹＮより出力される周波数信号と受信信号とをミキシングして中間周波信号ＩＦを出力する。このような構成の通信装置において、上記アイソレータＩＳＯとして、図１〜図８に示した素子を用いる。
　【００２５】
　【発明の効果】
　
この
　【００２６】
　
また、この
　【００２７】
　
また、この
【図面の簡単な説明】
　【図１】　第１の実施形態に係るアイソレータの分解斜視図
　【図２】　同アイソレータの上ヨークおよび下ヨークを取り除いた状態での上面図
　【図３】　同アイソレータの等価回路図
　【図４】　第２の実施形態に係るアイソレータの底面図
　【図５】　第３の実施形態に係るアイソレータの底面図
　【図６】　第４の実施形態に係るアイソレータの底面図
　【図７】　第５の実施形態に係るアイソレータの底面図
　【図８】　第６の実施形態に係るアイソレータの底面図
　【図９】　第７の実施形態に係る通信装置の構成を示すブロック図
　【図１０】　従来のアイソレータの構成を示す底面図
　【符号の説明】
　２−上ヨーク
　３−永久磁石
　４−スペーサ
　５−磁性組立体
　５１，５２，５３−中心導体
　５４−フェライト
　７−樹脂ケース
　７１，７２−入出力端子
　７３−アース端子
　８−下ヨーク
　Ｃ１，Ｃ２，Ｃ３−整合用コンデンサ
　Ｒ−終端抵抗
　Ｐ１，Ｐ２，Ｐ３−ポート部